(57)【要約】 【課題】  表示部に図柄を変動させて表示する遊技機において、表示部の図柄が変動を開始してから、遊技者に有利な状態となる所定の表示態様が形成されるまでの遊技過程に新規な興趣を与え、遊技者の期待感を増加させることができる技術を提供する。【解決手段】  パチンコ機等の遊技機に関し、画面２０ａの図柄表示列１１０，１３０，１５０が一旦変動を停止しはずれ図柄配列「３，３７，５」を形成した際、表示されている図柄「３」，「３」，「７」，「５」の中にリーチ状態を形成することができる図柄が含まれている場合には、結合図柄「３７」が図柄「３」と図柄「７」とに分裂される。そして、図柄「３」と図柄「７」は、右図柄表示列１５０方向へ拡張され、右図柄表示列１５０の図柄「５」は画面２０ａの外へ押出され、右図柄表示列１５０が再び変動を開始することによって、リーチ状態が形成される。【選択図】    図５
2010110654.tif 000002
【特許請求の範囲】
【請求項１】
表示部に図柄を変動させ、前記図柄が所定の表示態様を形成すると、遊技者に有利な遊技状態が付与される遊技機において、
前記表示部は、複数の図柄を結合した結合図柄を表示可能な図柄表示領域を有し、前記図柄表示領域に表示された少なくとも１つの結合図柄は、複数の図柄に分裂するように構成されていることを特徴とする遊技機。
【請求項２】
請求項１に記載した遊技機であって、
分裂後の図柄が他の図柄表示領域に表示されるように構成されていることを特徴とする遊技機。
【請求項３】
請求項１または２に記載した遊技機であって、
前記結合図柄が分裂することによって、前記表示部に遊技者に有利な所定の表示態様が形成されるように構成されていることを特徴とする遊技機。
【請求項４】
表示部に図柄を変動させ、前記図柄が所定の表示態様を形成すると、遊技者に有利な遊技状態が付与される遊技機において、
前記表示部は、１図柄の表示により複数の同じ図柄が配列表示されたことと同じ意味を示す特殊図柄を表示可能な複数の図柄表示領域を有し、
少なくとも１つの図柄表示領域に前記特殊図柄が表示されると、当該図柄表示領域を含む複数の図柄表示領域に同じ図柄からなる図柄配列が形成されたことを示すように構成されていることを特徴とする遊技機。
【請求項５】
請求項４に記載した遊技機であって、
前記特殊図柄が表示された際に、該特殊図柄の表示によって意味される図柄配列を構成する図柄数が、前記図柄表示領域数に対応した所定数になることで、前記所定の表示態様が形成されたことを示すように構成されていることを特徴とする遊技機。
【発明の詳細な説明】
【技術分野】
【０００１】
本発明は、遊技機に関し、特に遊技機の表示部に図柄を変動させて表示する技術に関する。
【背景技術】
【０００２】
遊技機の一つである第１種パチンコ機では、所定領域（例えば、第１種始動口）にパチンコ球（遊技球）が入球または通過した際に各種の乱数を読み込むことで抽選を行い、この抽選結果に基づいて大当たりかはずれかを判別する。また、前記乱数に基づいて遊技盤面上に設けられた図柄表示装置（例えば、特別図柄表示器）の図柄の変動を開始する。そして、図柄表示装置に所定の図柄配列、例えば３つの同じ図柄が１つのライン上に揃った大当たり図柄配列が形成されることで、大当たり遊技（特典）が遊技者に付与されたことを報知する。大当たり遊技は、具体的には、大入賞口を一定期間だけ開放する等の処理を行い、ほぼ一定数の出球が払い出される。大当たり図柄配列以外の図柄配列（はずれ図柄配列）を形成した場合には、大当たり遊技は付与されない。また、例えば３つの図柄表示列のうちの２つが停止した時、各図柄表示列の図柄によって少なくとも１つのライン（以下、「リーチライン」という）上に大当たり図柄配列を形成する一歩手前の状態を「リーチ状態」と呼ぶ。
【発明の概要】
【発明が解決しようとする課題】
【０００３】
従来、このようなパチンコ機（遊技機）では、図柄が変動を開始してからリーチ状態になるまでの一連の動作が単純である。例えば、左、右、中の順で変動を停止する３つの図柄表示列を備えた第１種パチンコ機において、リーチ状態を形成するためには、左図柄表示列が変動を停止して表示される図柄に応じて、右図柄表示列が変動を停止して表示される図柄は一義的に特定される。従って、例えばすべり変動等の特殊な動作によって図柄表示列の変動態様を種々変化させても、遊技者の抱くリーチ状態や大当たり遊技に対する期待感を今一歩増加させることができなかった。
【０００４】
本発明はこのような点に鑑みてなされたものであり、その目的とするところは、表示部に図柄を変動させて表示する遊技機において、表示部の図柄が変動を開始してから、遊技者に有利な状態となる所定の表示態様が形成されるまでの遊技過程に新規な興趣を与え、遊技者の期待感を増加させることができる技術を提供することである。
【課題を解決するための手段】
【０００５】
上記した課題を解決するための手段は、請求項１〜５に記載した通りである。ここで、各請求項及び発明の詳細な説明に記載した用語については、特に限定的要件を加えない限り以下のように解釈する。
（１）「図柄」には、特別図柄のみならず、普通図柄等のように遊技に関係して表示部に表示する全ての図柄（英数字、漢字、仮名等の文字、記号、絵柄、図形、静止画、動画等の画像など）が含まれる。また、図柄の個数は一つのみならず、複数の場合も含む。
（２）「表示部」は、１つの特別図柄表示器のみならず、複数の特別図柄表示器をも含む。複数の図柄を表示する場合には、１つの特別図柄表示器で全ての図柄を表示する態様と、複数の特別図柄表示器に複数の図柄を振り分けてそれぞれ表示する態様とがある。
（３）「大当たり図柄配列」とは、表示部が変動を停止してこの図柄配列で確定した場合に遊技者に大当たり遊技を付与するものである。一般には、同じ図柄が１つのライン上に揃って確定した場合を「大当たり図柄配列」という。これに対し「はずれ図柄配列」とは、「大当たり図柄配列」以外の図柄配列である。
（４）「図柄表示列」は、特別図柄表示器等の表示部において、図柄の変動に伴ってこの変動方向に形成される。通常は、表示部に向かって縦方向に図柄表示列が形成されるが、図柄表示列が表示部に向かって横方向に形成されて変動する場合等も含む。
（５）「所定の表示態様」には、大当たり図柄配列以外に、大当たり図柄配列を形成する一歩手前の状態である「リーチ状態」等も含まれる。
【０００６】
請求項１に記載した遊技機において、表示部に少なくとも１つの結合図柄が表示されると、該結合図柄は複数の図柄に分裂する。これにより、例えば、表示部に遊技者に有利な図柄配列が形成されない場合でも、この図柄配列の中に結合図柄が含まれているときには、この結合図柄が分裂することで遊技者に有利な図柄配列が形成される可能性があるため、遊技者に有利な印象を与えることができる。従って、請求項１に記載の遊技機によれば、表示部の図柄変動開始以降の遊技に新規な興趣を与え、遊技者の期待感を増加させることができる。例えば、第１種パチンコ機において、画面に一旦はずれ図柄配列が形成された場合に、このはずれ図柄配列中に結合図柄が含まれているときには、この結合図柄が複数の図柄に分裂するように構成することができる。このように構成すれば、一旦はずれ図柄配列が形成された場合でも、結合図柄が分裂することで、例えば大当たり図柄配列や、大当たり図柄配列を形成する一歩手前の状態であるリーチ状態を形成する可能性があるため、遊技者の抱くリーチや大当たりに対する期待感を高めることができる。
【０００７】
また、請求項２に記載の遊技機において、結合図柄が複数の図柄に分裂した後には、分裂後の図柄が他の図柄表示領域に表示される。例えば、３つの図柄表示列（図柄表示領域）を有する第１種パチンコ機において、２つの同じ図柄が結合した結合図柄が分裂し、その後、分裂した図柄の１つが他の図柄表示列に表示されることで、２つの図柄表示列に同じ図柄が表示されることになる。すなわち、その時点で３つのうちの２つの図柄表示列に同じ図柄が揃ったリーチ状態が形成される。従って、請求項２に記載の遊技機によれば、遊技者の抱くリーチや大当たりに対する期待感を高めることができる。
【０００８】
また、請求項３に記載の遊技機において、結合図柄が複数の図柄に分裂した後には、遊技者に有利な所定の表示態様が形成される。これにより、結合図柄が分裂することを確認した遊技者は、所定の表示態様を強く意識することになる。従って、表示部に結合図柄が表示されると、遊技者はこの結合図柄の分裂に対して強い期待感を持つことができる。
【０００９】
また、請求項４に記載した遊技機において、表示部には複数の表示領域が設けられ、各表示領域に特殊図柄が表示可能に構成されている。ここで、本発明でいう「特殊図柄」とは、１図柄の表示によって複数の同じ図柄が配列表示されたことと同じ意味を示すものである。すなわち、特殊図柄が１つ表示されることと複数の同じ図柄による図柄配列が表示されることとは同義である。これにより、例えば、表示部に遊技者に有利な図柄配列が形成されない場合でも、この図柄配列の中に特殊図柄が含まれていると遊技者に有利な印象を与えることができる。従って、表示部の図柄変動開始以降の遊技に新規な興趣を与え、遊技者の期待感を増加させることができる。例えば、３つの図柄表示列（図柄表示領域）を有する第１種パチンコ機において、最初に変動を停止した左図柄表示列に特殊図柄が表示されると、この左図柄表示列を含む２つの図柄表示列において２つの同じ図柄で揃った図柄配列が形成されたことになる。すなわち、この時点でリーチ状態が形成されたことになる。従って、遊技者は図柄表示列に停止する図柄が特殊図柄か否かを強く意識し、リーチや大当たりに対する期待感が高まる。
【００１０】
また、請求項５に記載の遊技機において、特殊図柄が表示された際に、該特殊図柄の表示によって意味される図柄配列を構成する図柄数が、図柄表示領域数に対応した所定数に達すると、所定の表示態様になる。これにより、特殊図柄が表示されたことを確認した遊技者は、所定の表示態様に対する期待感が高まる。
【発明の効果】
【００１１】
以上説明したように、本発明によれば、表示部に図柄を変動させて表示する遊技機において、表示部の図柄が変動を開始してから、遊技者に有利な状態となる所定の表示態様が形成されるまでの遊技過程に新規な興趣を与え、遊技者の期待感を増加させることができる技術を実現することができる。
【図面の簡単な説明】
【００１２】
【図１】パチンコ機の外観を示す正面図である。
【図２】複合装置を拡大して表した正面図である。
【図３】第１実施の形態における各図柄表示列に表示される図柄の種類を示す図である。
【図４】第１実施の形態の画面に表示される表示態様を示す図である。
【図５】第１実施の形態の画面に表示される表示態様を示す図である。
【図６】第１実施の形態の画面に表示される表示態様を示す図である。
【図７】第１実施の形態の画面に表示される表示態様を示す図である。
【図８】第１実施の形態の画面に表示される表示態様を示す図である。
【図９】第１実施の形態の画面に表示される表示態様を示す図である。
【図１０】第１実施の形態の画面に表示される表示態様を示す図である。
【図１１】第１実施の形態の画面に表示される表示態様を示す図である。
【図１２】第１実施の形態の画面に表示される表示態様を示す図である。
【図１３】第１実施の形態の画面に表示される表示態様を示す図である。
【図１４】第１実施の形態の画面に表示される表示態様を示す図である。
【図１５】第１実施の形態の画面に表示される表示態様を示す図である。
【図１６】第１実施の形態の画面に表示される表示態様を示す図である。
【図１７】第１実施の形態の画面に表示される表示態様を示す図である。
【図１８】第１実施の形態の画面に表示される表示態様を示す図である。
【図１９】第１実施の形態の画面に表示される表示態様を示す図である。
【図２０】第２実施の形態における各図柄表示列に表示される図柄の種類を示す図である。
【図２１】第２実施の形態の画面に表示される表示態様を示す図である。
【図２２】第２実施の形態の画面に表示される表示態様を示す図である。
【図２３】第２実施の形態の画面に表示される表示態様を示す図である。
【発明を実施するための形態】
【００１３】
以下、本発明における第１および第２実施の形態のパチンコ機を図面に基づいて説明する。なお、本実施の形態では、パチンコ機の特別図柄表示器（本発明の表示部に対応している）の画面に表示される図柄の表示態様について説明する。
〔第１実施の形態〕まず、第１実施の形態は、本発明をいわゆる第１種パチンコ機に適用したものであって、図１〜図１９を参照しながら説明する。ここで、図１は第１種パチンコ機の外観を示す正面図である。図２は拡大して表した複合装置の正面図である。図３は各図柄表示列に表示される図柄の種類を示す図である。また、図４〜図１９は、いずれも画面２０ａに表示される表示態様を示している。
【００１４】
図１において、本発明の遊技機としてのパチンコ機１０の遊技盤面１２上には、複合装置１４、第１種始動口３０、大入賞口３４、下部始動口６２、一般の入賞口等が適宜に配置されている。第１種始動口３０は始動口センサ５６を有し、パチンコ球が入賞すると通常の入賞口と同様に賞球（賞品球）を払い出す。中ゲート３２はゲートセンサ５４を有し、パチンコ球が通過しても賞球を払い出さない。大入賞口３４は蓋６６を有し、当該蓋６６はソレノイド５０によって開閉される。また、大入賞口３４はＶゾーン５２を有し、そのＶゾーン５２はＶゾーンセンサ４８を有する。大入賞口開放期間内にパチンコ球がＶゾーン５２に入賞すると、大当たり遊技を所要回数（例えば１６回）内で継続することができる。上記大入賞口開放期間としては、例えば大入賞口３４にパチンコ球が１０個入賞するか、開放してから３０秒間を経過するまでのいずれか早いほうが該当する。さらに蓋６６の下部には、第１種始動口３０と同等の機能を備えた下部始動口６２を配置している。下部始動口６２は始動口センサ５６と同様の機能を備えた始動口センサ６０を有する。
【００１５】
ここで、始動口センサ５６，６０は、それぞれの始動口に入賞したパチンコ球を検出する。Ｖゾーンセンサ４８はＶゾーン５２に入賞したパチンコ球を検出する。ゲートセンサ５４は中ゲート３２を通過したパチンコ球を検出する。なお上記ゲートセンサ５４、始動口センサ５６，６０、Ｖゾーンセンサ４８には、例えば近接センサやマイクロスイッチ、光センサ（発光体と受光体）等を用いる。
【００１６】
また、遊技盤面１２には１個または複数個の装飾ゲートを有し、この例では左ゲート２３、右ゲート２４を有する。右ゲート２４は普通図柄表示器２６を有するが、左ゲート２３は普通図柄表示器を有しない。普通図柄表示器２６は１個または複数個の発光体（この例では２個のＬＥＤ）を有し、当該発光体の点灯・消灯が普通図柄となる。普通図柄は、例えば中ゲート３２にパチンコ球が通過したときに点滅が始まり、その後に各発光体についてそれぞれ点灯または消灯する。そして、各発光体の点灯または消灯の態様に応じて（例えば２個のＬＥＤのうち右側のＬＥＤが点灯すると）、下部始動口６２の蓋を一定期間（例えば４秒間）だけ開放する。
【００１７】
次に、図２を参照しながら複合装置１４の構成について説明する。図２に示すように、複合装置１４には、天入賞口１４ａ、本発明における表示部としての特別図柄表示器２０等が設けられている。天入賞口１４ａは一般の入賞口の一つである。特別図柄表示器２０には、例えば液晶表示器を用いる。特別図柄表示器２０の画面２０ａには特別図柄等を表示する。なお、特別図柄として用いる図柄は、文字（英数字や漢字等）、記号、図形、絵柄等がある。また、背景図柄には、例えば動画（映像、アニメーション等）や静止画等がある。また、特別図柄表示器２０は液晶表示器以外に、ＣＲＴ、ＬＥＤ表示器、プラズマ表示器等のように特別図柄等が表示可能な表示器を用いてもよい。また、画面２０ａの下方位置には、特別図柄用の保留球ランプ２８が表示されている。保留球ランプ２８は、ほぼ水平状に並べて複数（例えば４個）設けられ、特別図柄の図柄変動中に第１種始動口３０に入賞したパチンコ球の個数を表示する。
【００１８】
画面２０ａは方形に形成され、特別図柄を表示する位置には、本発明の図柄表示領域としての３つの図柄表示列（左図柄表示列１１０、中図柄表示列１３０、右図柄表示列１５０）が形成されている。そして、図柄表示列１１０，１３０，１５０が変動を停止して画面２０ａに表示された図柄の配列によって遊技者に大当たり遊技を付与する大当たりか否かを報知する。具体的には、図柄表示列１１０，１３０，１５０に表示された図柄によって大当たり図柄配列を形成した場合が「大当たり」であり、それ以外の図柄配列を形成した場合は「はずれ」である。なお、第１実施の形態において、図柄表示列１１０，１３０，１５０に表示される図柄は、図３に示すように、例えばいずれも「７７」，「７３」，「３７」，「３３」，「７」，「６」，「５」，「４」，「３」の計９種類である。なお、これらの図柄のうち、図柄「７７」，「７３」，「３７」，「３３」の４種類が本発明における結合図柄に対応している。
【００１９】
次に、第１実施の形態の特別図柄表示器２０の画面２０ａに表示される態様について、図４〜図１９を参照しながら詳細に説明する。なお、これらの図において、図柄表示列が変動している様子を矢印で示している。
第１種始動口３０にパチンコ球が入賞すると、特別図柄表示器２０の画面２０ａの３つの図柄表示列１１０，１３０，１５０は、順変動方向（図２中の矢印１０方向）にほぼ一斉に変動（例えば、図柄が認識できない程度の高速で）を開始する。なお、第１種始動口３０にパチンコ球が入賞した際には、画面２０ａの表示態様を決定する各種の乱数が読み込まれる。そして、予め読み込まれた各種の乱数に基づいて、画面２０ａの表示態様、例えば各図柄表示列１１０，１３０，１５０の変動態様が決定されるように構成されている。
【００２０】
具体的には、例えば、図４に示すように、左図柄表示列１１０および右図柄表示列１５０が、左、右の順で変動を停止して、画面２０ａに「３，↓，５」を形成する。その後、中図柄表示列１３０が変動を停止することで、図柄表示列１１０，１３０，１５０は一旦変動を停止し、図５に示すように、画面２０ａにはずれ図柄配列「３，３７，５」を形成する。この際、はずれ図柄配列「３，３７，５」には、図柄「３」と図柄「７」を結合した結合図柄「３７」が含まれている。このような場合、すなわち表示されている図柄「３」，「３」，「７」，「５」の中にリーチ状態を形成することができる図柄が含まれている場合には、例えば分裂動作を示唆するキャラクター等の出現を契機として、図６に示すように、中図柄表示列１３０において結合図柄「３７」が結合前の図柄「３」と図柄「７」とに分裂される。そして、図７に示すように、図柄「３」と図柄「７」は、右図柄表示列１５０方向へ拡張され、これにより、右図柄表示列１５０に表示されていた図柄「５」は、画面２０ａの外へ押出される。その後、右図柄表示列１５０は再び変動を開始する。
【００２１】
その結果、図８に示すように、左図柄表示列１１０および中図柄表示列１３０のいずれにも図柄「３」が表示され、右図柄表示列１５０が変動するリーチ状態（リーチラインＬ１）が形成される。また、リーチ状態になったことが、画面２０ａにおける表示あるいは音声によって報知される。そして、その後、右図柄表示列１５０が変動を停止し、例えば、図９に示すように右図柄表示列１５０に図柄「３」が表示されることで、リーチラインＬ１上に大当たり図柄配列「３，３，３」が形成される。これにより、遊技者に大当たり遊技が付与されたことが報知され、引き続き遊技者は前記した大当たり遊技を行うことができる。
【００２２】
なお、画面２０ａが一旦変動を停止して表示されたはずれ図柄配列に結合図柄が含まれている場合に、結合図柄が複数の図柄に分裂する態様は、図４〜図９に示す表示態様（第１の表示パターン）以外に、種々の表示態様が考えられる。例えば、図１０および図１１に示す表示態様（第２の表示パターン）、図１２〜図１５に示す表示態様（第３の表示パターン）、図１６〜図１９に示す表示態様（第４の表示パターン）がある。以下、これらの表示態様を図面を参照しながら説明する。
【００２３】
第２の表示パターンでは、図柄表示列１１０，１３０，１５０が一旦変動を停止し、画面２０ａにはずれ図柄配列「３３，６，７」を形成する。この際、はずれ図柄配列「３３，６，７」には、同じ図柄「３」を２つ結合した結合図柄「３３」が含まれている。このような場合、すなわち表示されている図柄「３」，「３」，「６」，「７」の中にリーチ状態を形成することができる図柄（この例では、結合図柄に含まれている図柄のみによってリーチ状態を形成することができる）が含まれている場合には、例えば分裂動作を示唆するキャラクター等の出現を契機として、図１０に示すように、左図柄表示列１１０において結合図柄「３３」が結合前の２つの図柄「３」に分裂され、分裂後の図柄は中図柄表示列１３０方向へ拡張される。また、これに同期して、中図柄表示列１３０に表示されていた図柄「６」は右図柄表示列１５０方向へ移動し、右図柄表示列１５０に表示されていた図柄「７」は、画面２０ａの外へ押出される。その後、右図柄表示列１５０は再び変動を開始する。
【００２４】
その結果、図１１に示すように、左図柄表示列１１０および中図柄表示列１３０のいずれにも図柄「３」が表示され、右図柄表示列１５０が変動するリーチ状態（リーチラインＬ２）が形成される。また、リーチ状態になったことが、画面２０ａにおける表示あるいは音声によって報知される。そして、その後、右図柄表示列１５０が変動を停止し、例えば、図９に示すように右図柄表示列１５０に図柄「３」が表示されることで、リーチラインＬ２上に大当たり図柄配列「３，３，３」が形成される。
【００２５】
また、第３の表示パターンでは、図柄表示列１１０，１３０，１５０が一旦変動を停止し、図１２に示すように、画面２０ａにはずれ図柄配列「３３，６，７７」を形成する。この際、はずれ図柄配列「３３，６，７７」には、同じ図柄「３」を２つ結合した結合図柄「３３」と、同じ図柄「７」を２つ結合した結合図柄「７７」が含まれている。このような場合、すなわち表示されている図柄「３」，「３」，「６」，「７」，「７」の中にリーチ状態を形成することができる図柄（この例では、結合図柄に含まれている図柄のみによってリーチ状態を形成することができる）が複数含まれている場合には、例えば分裂動作を示唆するキャラクター等の出現を契機として、図１３に示すように、左図柄表示列１１０の中段位置に表示されていた結合図柄「３３」は左図柄表示列１１０の下段位置へ、また右図柄表示列１５０に表示されていた結合図柄「７７」は左図柄表示列１１０の上段位置へ、また中図柄表示列１３０に表示されていた図柄「６」は右図柄表示列１５０へと移動する。また、結合図柄「３３」および「７７」は、いずれも２つの図柄に分裂され、さらに中図柄表示列１３０方向へ拡張される。これにより、左図柄表示列１１０に図柄「７」と図柄「３」が表示され、中図柄表示列１３０にも同様に図柄「７」と図柄「３」が表示され、それにあわせて、右図柄表示列１５０は再び変動を開始する。
【００２６】
その結果、図１４に示すように、左図柄表示列１１０および中図柄表示列１３０のいずれにも図柄「７」と図柄「３」が表示され、右図柄表示列１５０が変動するリーチ状態（リーチラインＬ３ａ，Ｌ３ｂ）が形成される。なお、この場合は、右図柄表示列１５０に図柄「７」と図柄「３」のいずれが停止しても大当たり図柄配列が形成されるいわゆるダブルリーチが形成される。また、リーチ状態になったことが、画面２０ａにおける表示あるいは音声によって報知される。そして、その後、右図柄表示列１５０が変動を停止し、例えば、図１５に示すように右図柄表示列１５０のリーチラインＬ３ａ上に図柄「７」が表示されることで、リーチラインＬ３ａ上に大当たり図柄配列「７，７，７」が形成される。
【００２７】
また、第４の表示パターンでは、図柄表示列１１０，１３０，１５０が一旦変動を停止し、図１６に示すように、画面２０ａにはずれ図柄配列「３７，７３，６」を形成する。この際、はずれ図柄配列「３７，７３，６」には、図柄「３」と図柄「７」を結合した結合図柄「３７」および「７３」が含まれている。このような場合、すなわち表示されている図柄「３」，「７」，「７」，「３」，「６」の中にリーチ状態を形成することができる図柄が複数含まれている場合には、例えば分裂動作を示唆するキャラクター等の出現を契機として、図１７に示すように、左図柄表示列１１０の中段位置に表示されていた結合図柄「３７」は左図柄表示列１１０の下段位置へ、また中図柄表示列１３０に表示されていた結合図柄「７３」は左図柄表示列１１０の上段位置へと移動する。また、結合図柄「３７」および「７３」は、いずれも２つの図柄「３」と図柄「７」に分裂され、さらに中図柄表示列１３０方向へ拡張される。これにより、左図柄表示列１１０に図柄「７」と図柄「３」が表示され、中図柄表示列１３０にも同様に図柄「３」と図柄「７」が表示され、さらに中図柄表示列１３０の図柄「３」と図柄「７」との位置が互いに入れ替わる。また、それにあわせて、右図柄表示列１５０は再び変動を開始する。
【００２８】
その結果、図１８に示すように、左図柄表示列１１０および中図柄表示列１３０のいずれにも図柄「７」と図柄「３」が表示され、右図柄表示列１５０が変動するリーチ状態（リーチラインＬ４ａ，Ｌ４ｂ）が形成される。なお、この場合は、右図柄表示列１５０に図柄「７」と図柄「３」のいずれが停止しても大当たり図柄配列が形成されるいわゆるダブルリーチがされる。また、リーチ状態になったことが、画面２０ａにおける表示あるいは音声によって報知される。そして、その後、右図柄表示列１５０が変動を停止し、例えば、図１９に示すように右図柄表示列１５０のリーチラインＬ４ｂ上に図柄「３」が表示されることで、リーチラインＬ４ｂ上に大当たり図柄配列「３，３，３」が形成される。
【００２９】
以上のように、第１実施の形態のパチンコ機によれば、図柄表示列が変動を停止した際に結合図柄が表示されると、この結合図柄が分裂することでリーチ状態が形成される。また、全ての図柄表示列が一旦変動を停止してはずれ図柄配列を形成した場合でも、はずれ図柄配列の中に結合図柄が含まれていると、この結合図柄が分裂することでリーチ状態が形成される。従って、図柄変動開始以降の遊技に新規な興趣を与え、遊技者の期待感を増加させることができる。
【００３０】
〔第２実施の形態〕次に、第２実施の形態は、第１実施の形態と同様に本発明を第１種パチンコ機に適用したものであって、図２０〜図２３を参照しながら説明する。ここで、図２０は各図柄表示列に表示される図柄の種類を示す図である。また、図２１〜図２３は、いずれも画面２０ａに表示される表示態様を示している。また、図２１〜図２３において、図４〜図１９に示す要素と同一の要素には同一の符号を付している。
なお、パチンコ機の主な構成や処理手順等は第１実施の形態と同様であるので、第２実施の形態では第１実施の形態と異なる画面２０ａの表示態様等についてのみ説明する。
【００３１】
なお、第２実施の形態において、本発明の図柄表示領域としての３つの図柄表示列１１０，１３０，１５０に表示される図柄は、図２０に示すように、例えばいずれも「７７」，「３３」，「７」，「６」，「５」，「４」，「３」の計７種類である。ここで、これらの図柄のうち、図柄「７７」，「３３」の２種類が本発明における特殊図柄に対応している。なお、本実施の形態では、この特殊図柄「７７」，「３３」は、１図柄の表示によって意味される図柄配列を構成する同じ図柄の図柄数および図柄種類を直接的に示唆するものである。すなわち、１つの特殊図柄「７７」を表示することで、２つ（上記図柄数に対応している）の同じ図柄「７」（上記図柄種類に対応している）が配列表示されたことと同じ意味を示し、１つの特殊図柄「３３」を表示することで、２つ（上記図柄数に対応している）の同じ図柄「３」（上記図柄種類に対応している）が配列表示されたことと同じ意味を示す。従って、例えば、左図柄表示列１１０に特殊図柄「３３」が表示されると、左図柄表示列１１０および中図柄表示列１３０に図柄「３」が揃ったリーチ状態になるように構成されている。
【００３２】
次に、第２実施の形態の特別図柄表示器２０の画面２０ａに表示される態様について具体的に説明する。まず、第１実施の形態と同様に第１種始動口３０にパチンコ球が入賞すると、特別図柄表示器２０の画面２０ａの３つの図柄表示列１１０，１３０，１５０は、順変動方向（図２中の矢印１０方向）にほぼ一斉に変動（例えば、図柄が認識できない程度の高速で）を開始する。そして、その後、まず左図柄表示列１１０が変動を停止する。その際、例えば図２１に示すように、左図柄表示列１１０に１図柄の表示によって２つの同じ図柄「３」が配列表示されたことと同じ意味を示す特殊図柄「３３」が表示される。
【００３３】
この際、中図柄表示列１３０および右図柄表示列１５０は変動中であるが、特殊図柄「３３」は、図柄「３」と図柄「３」が２つの図柄表示列に揃った図柄配列と同じ意味を示している。すなわち、図柄表示列が１つしか停止していないにもかかわらず、この時点でリーチ状態（リーチラインＬ５）となる。そして、リーチ状態になったことが、画面２０ａにおける表示あるいは音声によって報知される。したがって、この状態で次に変動を停止する右図柄表示列１５０と中図柄表示列１３０のいずれかに図柄「３」が表示されると大当たり図柄配列となる。したがって、遊技者は、大当たり図柄配列を形成する機会を、右図柄表示列１５０の停止の際と中図柄表示列１３０の停止の際の２回得ることができるため、大当たりに対する期待感が増幅される。なお、この状態が、本発明でいう「少なくとも１つの図柄表示領域に前記特殊図柄が表示されると、当該図柄表示領域を含む複数の図柄表示領域に同じ図柄からなる図柄配列が形成されたことを示す」に対応している。そしてここでは、まず図２２に示すように、右図柄表示列１５０が変動を停止してリーチラインＬ５上に図柄「５」が表示される。次に、中図柄表示列１３０が変動を停止して、例えば図２３に示すように、リーチラインＬ５上に図柄「３」が表示されることで、リーチラインＬ５上に大当たり図柄配列「３３，３，５」が形成される。また、例えば、左図柄表示列１１０に特殊図柄「３３」が表示されることで図柄配列「３３，↓，↓」を形成し、その後、中図柄表示列１３０あるいは右図柄表示列１５０が変動を停止した時点でリーチラインＬ５上に大当たり図柄配列「３３，３，↓」あるいは「３３，↓，３」を形成し、さらに中図柄表示列１３０が変動を停止して図柄配列「３３，３，３」が形成された場合には、大当たり遊技に加えて、更なる特典、例えば確率変動遊技等の付加特典が付与されるように構成することもできる。
【００３４】
以上のように、第２実施の形態のパチンコ機によれば、図柄表示列が変動を停止した際に、１図柄の表示によって２つの同じ図柄が配列表示されたことと同じ意味を示す特殊図柄が表示されると、リーチ状態が形成される。従って、図柄変動開始以降の遊技に新規な興趣を与え、遊技者の期待感を増加させることができる。特に、最初に変動を停止する図柄表示列に、特殊図柄が表示されるとその時点でリーチ状態になるため大当たりに対する期待感を増幅させることができる。
【００３５】
〔他の実施の形態〕上述したパチンコ機（遊技機）１０において、他の部分の構造、形状、材質、個数、配置及び動作条件等については、上記実施の形態に限定されるものでなく、必要に応じて種々変更可能である。例えば、上記実施の形態を応用した次の各形態を実施することもできる。
【００３６】
（Ａ）上記実施の形態では、結合図柄が複数の図柄に分裂した後、あるいは特殊図柄が図柄表示列に表示された後に、画面２０ａにリーチ状態が形成される場合について記載したが、リーチ状態以外、例えば大当たり図柄配列が画面２０ａに形成される場合であってもよい。
【００３７】
（Ｂ）また、上記第１実施の形態では、２つの図柄を結合した結合図柄が２つの図柄に分裂する場合について記載したが、結合数、分裂数は２つに限定されない。また、上記第２実施の形態では、１つの特殊図柄の表示によって２つの同じ図柄が配列表示されたことを示す場合について記載したが、配列表示される同じ図柄の数は２つに限定されない。また、上記実施の形態では、全ての図柄表示列１１０，１３０，１５０において、結合図柄あるいは特殊図柄を表示可能としたが、結合図柄あるいは特殊図柄が含まれない図柄表示列があってもよい。
【００３８】
（Ｃ）また、上記実施の形態では、画面２０ａに表示する図柄の表示態様を１行３列としたが、他の表示形態であってもよい。例えば、１行２列、１行４列、２行１列、２行２列、３行１列、４行４列等のような表示態様について本発明を適用することができる。
【００３９】
（Ｄ）また、上記第１実施の形態では、図柄「３」や図柄「７」がライン上に３つ揃った場合を大当たり図柄配列としたが、大当たり図柄配列は限定されず、異なる図柄が揃った場合であってよい。例えば、図柄「１」，「２」，「３」がライン上に揃った場合を大当たり図柄としてもよい。
【００４０】
（Ｅ）また、上記第２実施の形態では、特殊図柄として「３３」や「７７」について記載したが、特殊図柄の種類はこれらに限定されず、必要に応じて種々変更可能である。例えば、特殊図柄「３2」を表示することで、２つの同じ図柄「３」による図柄配列「３，３」が表示されたことを示すように構成することもできる。また、上記第２実施の形態では、特殊図柄を表示することで、１図柄の表示によって意味される図柄配列を構成する同じ図柄の図柄数および図柄種類を直接的に示唆する場合について記載したが、この図柄数および図柄種類を、例えば予め設定された規則によって間接的に示唆する場合であってよい。例えば、特殊図柄「☆」が表示されると、３つの同じ図柄「７」が配列表示されたことと同じ意味を示すという規則を予め設定しておき、この規則に基づいて特殊図柄の表示効果を遊技者に間接的に示唆するように構成することもできる。この例では、３つの図柄表示列を有する第１種パチンコ機において、特殊図柄「☆」が表示されることで大当たり図柄配列「７，７，７」が形成されたことになる。
【００４１】
（Ｆ）また、上記実施の形態では、パチンコ機１０に本発明を適用した。この形態に代えて、第１種パチンコ機以外の遊技機（例えば第３種パチンコ機、スロットマシン、アレンジボール機、テレビゲーム機等）であって図柄を変動して表示する表示部を有するものについても同様に本発明を適用することができる。
【符号の説明】
【００４２】
１０…パチンコ機（遊技機）
１４…複合装置
２０…特別図柄表示器（表示部）
２０ａ…画面
３０…第１種始動口
３４…大入賞口
１１０…左図柄表示列
１３０…中図柄表示列
１５０…右図柄表示列
【図１】
2010110654.tif 000003
【図２】
2010110654.tif 000004
【図３】
2010110654.tif 000005
【図４】
2010110654.tif 000006
【図５】
2010110654.tif 000007
【図６】
2010110654.tif 000008
【図７】
2010110654.tif 000009
【図８】
2010110654.tif 000010
【図９】
2010110654.tif 000011
【図１０】
2010110654.tif 000012
【図１１】
2010110654.tif 000013
【図１２】
2010110654.tif 000014
【図１３】
2010110654.tif 000015
【図１４】
2010110654.tif 000016
【図１５】
2010110654.tif 000017
【図１６】
2010110654.tif 000018
【図１７】
2010110654.tif 000019
【図１８】
2010110654.tif 000020
【図１９】
2010110654.tif 000021
【図２０】
2010110654.tif 000022
【図２１】
2010110654.tif 000023
【図２２】
2010110654.tif 000024
【図２３】
2010110654.tif 000025